(57)【要約】【課題】  小型の金型等の高密度な重量物を安全に収納することができる梱包体の提供。【解決手段】  重量物を収納する第１箱２とその外周の１／４に整合する凹陥部１を有する八つの緩衝ブロック３と、八つの緩衝ブロック３を隙間なく、収納する第２箱４とを有する。【選択図】        図２
0003113542.tif 000002
【実用新案登録請求の範囲】
【請求項１】
重量物が収納される方形の箱からなる第１箱(2) と、
緩衝材よりなり内周が第１箱(2) の外周の１/４に整合する凹陥部(1)を有すると共に、その縦断面がコ字状で且つ、横断面がＬ字状に形成され、４つ一組で夫々第１箱(2) を実質的に隙間なく取り囲み、二組よりなる同一形状の８つの緩衝ブロック(3) と、
前記二組の緩衝ブロック(3) が底面に並列して隙間なく収納されるように、それに整合する内周を有する方形の箱からなる第２箱(4) と、
を具備する重量物の梱包体。
【請求項２】
請求項１において、
前記緩衝ブロック(3)は、細長い多数のダンボール材(5) の平面どうしを接着した四つの積層ブロック(3a)(3b)(3c)(3d)の接合体よりなり、各ダンボール材はその波形紙(5a)の波の稜線方向が幅方向に位置し、夫々の積層ブロック(3a)(3b)(3c)(3d)の前記幅方向の端面が前記凹陥部(1) に面するように形成された重量物の梱包体。
【請求項３】
請求項１または請求項２において、
前記緩衝ブロック(3)の外周面で、その幅方向の少なくとも一方側位置に指掛け用欠切部(6) が設けられた重量物の梱包体。
【考案の詳細な説明】
【技術分野】
【０００１】
本考案は、主として高密度重量物である小型の金型等を梱包する梱包体に関する。
【背景技術】
【０００２】
小型射出成形機等に用いる小型の金型の梱包は、ダンボール箱の内部に緩衝材を詰め、その中心に金型を配置し、上蓋を粘着テープで固定していた。
【考案の開示】
【考案が解決しようとする課題】
【０００３】
小型の金型の如く、高密度重量物の梱包体は、外観が小ぶりな割に、重量が10kg以上となる場合が多く、その外観から気軽に持ち上げるつもりで、予測よりも重すぎて落下させてしまう危険性が大きかった。その落下により金型の角部分に大きなダメージを与えたり、作業者の足等を傷めたりするおそれがあった。
そこで本考案は、係る問題点を取り除くことを課題とする。
【課題を解決するための手段】
【０００４】
請求項１に記載の本考案は、重量物が収納される方形の箱からなる第１箱(2) と、
緩衝材よりなり内周が第１箱(2) の外周の１/４に整合する凹陥部(1)を有すると共に、その縦断面がコ字状で且つ、横断面がＬ字状に形成され、４つ一組で夫々第１箱(2) を実質的に隙間なく取り囲み、二組よりなる同一形状の８つの緩衝ブロック(3) と、
前記二組の緩衝ブロック(3) が底面に並列して隙間なく収納されるように、それに整合する内周を有する方形の箱からなる第２箱(4) と、
を具備する重量物の梱包体である。
【０００５】
請求項２に記載の本考案は、請求項１において、
前記緩衝ブロック(3) は、細長い多数のダンボール材(5) の平面どうしを接着した４つの積層ブロック(3a)(3b)(3c)(3d)の接合体よりなり、各ダンボール材はその波形紙(5a)の波の稜線方向が幅方向に位置し、夫々の積層ブロック(3a)(3b)(3c)(3d)の前記幅方向の端面が前記凹陥部(1) に面するように形成された重量物の梱包体である。
【０００６】
請求項３に記載の本考案は、請求項１または請求項２において、
前記緩衝ブロック(3) の外周面で、その幅方向の少なくとも一方側位置に指掛け用欠切部(6) が設けられた重量物の梱包体である。
【考案の効果】
【０００７】
本考案の重量物の梱包体は、重量物が二重箱に梱包され、第１箱２と第２箱４との間に同一形状の８つの緩衝ブロック３が隙間なく取囲まれるから、梱包体を落下させても、重量物を保護することができる。また、１つの梱包体で２つの重量物を収納することができると共に、１つのみの重量物を収納するときは、その中心部に配置し、バランスの良い梱包体となりうる。また、外周に８つの緩衝ブロック３が配置されているため、比較的梱包体の嵩が大きくなり、密度の高い重量物であっても、持ちやすく、取り扱いやすい梱包体となりうる。
【０００８】
上記構成において、それぞれの、積層ブロック3a，積層ブロック3b，積層ブロック3c，積層ブロック3dの幅方向端面が、凹陥部１に面するように形成したものにおいては、ダンボールの緩衝効果を最大に得ることができる。
【０００９】
上記構成において、緩衝ブロック３の外周で幅方向の少なくとも一方に指掛け用欠切部６を設けたものにおいては、第２箱４内の緩衝ブロック３の取り除き作業が容易となる。
【考案を実施するための最良の形態】
【００１０】
次に図面に基づいて本考案の実施の形態につき説明する。図１は本考案の梱包体に用いる緩衝ブロック３の斜視図であり、図２は同梱包体の分解斜視説明図であって、２個の第１箱２を第２箱４に収納する場合である。また、図３は一個の第１箱２を収納する場合の分解斜視説明図である。図４は重量物を第２箱４に収納した状態を示す斜視図である。
【００１１】
この梱包体は図２に示す如く、第１箱２を四周から隙間なく取り囲む４つ一組の緩衝ブロック３を二組有する。各緩衝ブロック３は第１箱２の外周の１／４に整合する凹陥部１を有する。その緩衝ブロック３は図１に示す如く、細長い多数のダンボール材５の平面どうしを積層して互いに接着した４つの積層ブロック3a，3b，3c，3dの接合体からなる。
【００１２】
そして、そのダンボール材は一対の平板紙間に波形紙5aが接合されたものであり、その波形紙5aの波の稜線方向が各ブロックの幅方向に位置する。そして、積層ブロック3a，3b，3c，3dの幅方向の端面が凹陥部１に面するように形成されている。そして、緩衝ブロック３は、図１の縦断面であるＡ−Ａ線上の断面がコ字状に形成され、横断面であるＢ−Ｂ線上の断面がＬ字状に形成されている。
【００１３】
〔作用〕
次に、この梱包体の使用方法につき述べる。先ず第１箱２内に緩衝材等を介して、図示しない小型の金型が収納される。図２の例では、１つの梱包体に２つの金型および第１箱２を収納する例である。この場合、第２箱４内に、予め一対づつ計４つの緩衝ブロック３を並列する。このとき各緩衝ブロック３はその凹陥部１どうしが対向するように配置する。
【００１４】
次いで、一対の緩衝ブロック３の凹陥部１内にそれぞれ第１箱２を収納する。次に、４つの緩衝ブロック３をそれぞれの第１箱２の上面に被嵌する。このとき各緩衝ブロック３の凹陥部１が第１箱２外周を覆う。その結果、図４に示す如く中間に第１箱２を２つ収納した状態で、その外周に緩衝ブロック３が隙間なく収納される。次いで、第２箱４の蓋4bを閉じ、その継目を粘着テープで止着すればよい。
【００１５】
次に、第１箱２を1個のみ収納する場合には、図３に示す如く一対の緩衝ブロック３をその凹陥部１が対向するようにして中央部に配置する。そしてその両側に一対の緩衝ブロック３を配置する。このときそれぞれの緩衝ブロック３の凹陥部１が第１箱２方向に向くようにする。そして中央の一対の緩衝ブロック３内に、重量物が収納された第１箱２を収める。次いで、下段同様に上段の緩衝ブロック３を４つ被嵌し、第２箱４の蓋を閉じることにより、梱包体を完成する。
【００１６】
なお、この梱包体から重量物を取り除くには、前記と逆の手順により行えばよい。このとき、上面側にある緩衝ブロック３を容易に取り除くため、図５の如く緩衝ブロック３の外周面で、その幅方向の一方または両側位置に断面半円等の溝状の指掛け用欠切部６を設けることが好ましい。そして、対向する緩衝ブロック３の一対の欠切部６が整合して、この例ではそこに円形孔を形成する。その円形孔に指を入れ、第２箱４の上面側に存在する緩衝ブロック３を容易に上方へ引き抜くことができる。
【図面の簡単な説明】
【００１７】
【図１】本考案の梱包体に用いられる緩衝ブロック３の斜視図。
【図２】同梱包体に２つの第１箱２を収納する場合の説明図。
【図３】同梱包体に１つの第１箱２を収納する場合の説明図。
【図４】同梱包体に重量物を収納した状態を示す斜視図であって、蓋4bを開いた状態の説明図。
【図５】本考案の梱包体の緩衝ブロック３の他の例を示す斜視図。
【符号の説明】
【００１８】
１  凹陥部
２  第１箱
３  緩衝ブロック
3a  積層ブロック
3b  積層ブロック
3c  積層ブロック
3d  積層ブロック
４  第２箱
4a  底
4b  蓋
５  ダンボール材
5a  波形紙
６  指掛け用欠切部
【図１】
0003113542.tif 000003
【図２】
0003113542.tif 000004
【図３】
0003113542.tif 000005
【図４】
0003113542.tif 000006
【図５】
0003113542.tif 000007